(57)【特許請求の範囲】
【請求項１】
第１および第２の環状連結部（２００，３００）を備え、
上記第１の連結部（２００）は、着用者の身体に取り付けられる側であって、この取付のために、その略中央に位置する陰茎挿入口（２０６）を有してフランジ（２０２）を備え、該フランジは、上記挿入口の周囲を囲繞するスリーブ（２０４）に連結され乃至は一体にされ、
上記第２の連結部（３００）は、上記スリーブの中に少なくとも途中まで延びる管状部（３０２）を備え、
該第１および第２の環状連結部は、相互係止連結構造を有すると共に、上記管状部から径方向外方へ延びるリム（３０６）が設けられ、
上記リムは、該リムの径方向外方部分にプラスチックヒンジ（３１０）で接続されるところの、裏返し反転可能にして２位置で静止安定する環状部（３１２）と一体にされ、
上記環状部が、その１位置で上記二つの連結部をロックし、他の１位置で該二つの連結部の分離を許容することを特徴とする男性用失禁装置。
【請求項２】
上記第１環状連結部は、径方向内方に向けられた柔軟にして撓み得るシールストリップ（２０８）を有し、該シールストリップは、上記管状部（３０２）の外周面（３０３）と密封係合をなす請求項１記載の男性用失禁装置。
【請求項３】
上記第１連結部（２００）は、径方向外方に延出するリブ（２１０）を有し、
上記裏返し反転可能な環状部（３１２）は、該環状部の閉位置において上記第１連結部のリブ（２１０）の下面（２１２）に係合する受け部（３１４）を有する請求項１または２記載の男性用失禁装置。
【請求項４】
上記第１連結部（２００）のフランジ（２０２）に固定され、曲がり易くて柔軟な弾性エラストマーのパッド（５００）を有し、
該パッドは、上記第１連結部（２００）の陰茎挿入口（２０６）と実質的に同一形状の陰茎挿入口（５０２）を有する請求項１ないし３のいずれかに記載の男性用失禁装置。
【請求項５】
上記第２連結部（３００）上にコンドーム相当部（４００）のビード（４０２）を保持するために、該第２連結部に係合すべく設けられたリング（４２０）を有する請求項１ないし４のいずれかに記載の男性用失禁装置。
【発明の詳細な説明】
【０００１】
【産業上の利用分野】
本発明は、男性用失禁装置に関する。
【０００２】
【従来の技術・発明の解決課題】
従来既知の男性用失禁装置は、英国特許第６６９０６３号、第１３０４５４４号、第１４５９４８６号、および第１５２１０６４号に見ることができる。本発明の一つにおける早期のデザインは、英国特許第２０４８６８０号に見ることができる。
【０００３】
男性用失禁装置の製作において主に求められることは、それが漏れを防ぐ構造であること、着用感に優れること、取り扱い、取り付け、取り外しが簡単であることである。
【０００４】
【発明の開示】
本発明の一つの形態によれば、以下のような特徴を具備する男性用失禁装置が提供される。この男性用失禁装置は、第１および第２の環状連結部を備えている。第１の連結部は、着用者の身体に取り付けられる側であって、この取付のために、その略中央に位置する陰茎挿入口を有してフランジを備えている。このフランジは、上記挿入口の周囲を囲繞するスリーブに連結され乃至は一体にされる。上記第２の連結部は、上記スリーブの中に少なくとも途中まで延びる管状部を備えている。上記第１および第２の環状連結部は、相互係止連結構造を有すると共に、上記管状部から径方向外方へ延びるリムが設けられている。このリムは、リムの径方向外方部分にプラスチックヒンジで接続されるところの、裏返し反転可能にして２位置で静止安定する環状部と一体にされている。そしてこの環状部は、その１位置で上記二つの連結部をロックし、他の１位置で該二つの連結部の分離を許容する。
【０００５】
また、二つの連結要素を有して、この二つの連結要素が互いにロックされるロッキング位置と、二つの連結要素が分離されるロッキング解除位置との間で、手で押すことにより位置変えできる伸縮性リングもしくは一方の連結要素の外周部を備えた男性用失禁装置が提供される。このロッキング解除位置では、失禁装置の分解が可能になる。
【０００６】
本発明のもう一つの形態による男性用失禁装置は、第１および第２の連結部を備えており、この第１連結部はフランジを有し、このフランジからは略円筒状のリブが延出している。このリブは、その径方向内方に位置する柔軟にして撓み得るシールストリップを有している。第２連結部は、略環状の壁体が付随する基壁を有している。この環状壁体は、第１連結部のシールストリップと係合するように、且つ該シールストリップによって囲繞されるように配置されている。この第２連結部はまた、弾力のある伸縮性ないし可撓性のある人造プラスチック材で形成された外壁を有しており、この外壁は、これと一体成形されたプラスチックヒンジによって上記基壁に連結されている。この外壁は、二つの限定された位置の間で、指のスナップ作用で位置がシフトさせられる。この外壁は、その第１位置または開位置で、上記基壁の外側に延在し、その第２位置または閉位置で、第１連結部の外周部分と噛合ってこれをロックする。第１連結部は、柔軟な弾性パッドに接続されているか、もしくは一体に形成されている。このパッドは、着用時に、着用者の陰茎の根元部分の周囲の皮膚の環状領域に圧力を与える。
【０００７】
このデザインにより、二つの連結部の積極的かつ効果的にして信頼性の高いロッキングが達成され、この装置は快適に着用でき、かつ簡単に連結を解除できる。
【０００８】
上述の構成により、第２連結部の外壁は、指の操作で開位置と閉位置の間をスナップ動作する。その開位置では、二つの連結部は容易に分離する。この目的のために、必要であれば、一つもしくはそれ以上の把手タブが第２連結部に設けられてもよい。その把手タブの位置は、第２連結部の外壁の外周部の１２時の位置が好ましい。外壁の閉位置で、円筒状リブのリムの外周部のオーバーハング部と第２連結部の外壁の内周面上のステップとの間に、拘束関係または係止関係が形成されるような構造であることが好ましい。
【０００９】
本発明は、添付図面を参照して説明する以下の実施例によってさらによく理解されるであろう。しかしながら、本発明はこれら実施例に限定されるものではない。なお、以下の実施例の説明および図面においては、同様の部分には同一参照番号を付している。
【００１０】
【実施例】
図１および図２に示された男性用失禁装置は、その第１連結部２００が円形であり、フランジ２０２と略円筒状のリブないしスリーブ２０４を有している。本発明に関する特にこの記述では、円筒状リブと略円形の連結部について言及するが、通常の男性用失禁装置の連結部は、一般に円筒状でなくとも、または円形でなくともよい。例えば、ある失禁装置では、矩形もしくは角部が丸められた四角形の中央開口を有していてもよく、あるいは他の形状の開口を有していてもよい。したがって、本願における明細書の説明および特許請求の範囲は、幾何学的に円形構造の男性用失禁装置に限定されて述べられるものではない。
【００１１】
図１〜５は、男性用失禁装置を示しており、この装置は第１連結部２００と第２連結部３００との二つの連結部を有している。これら二つの連結部は、身体に着用する男性用失禁装置を提供するために、互いに連結されるように構成されており、コンドームのような鞘を伴っている。この鞘の自由端ないし下端部は、出口パイプまたは蛇口を有している（図５参照）。第１連結部２００は、概ね管状のスリーブ２０４と一体にに形成された略平坦な環状フランジ２０２を備えている。図５に示すように、フランジ２０２の面２０３は、曲がり易くて柔軟な弾性パッド５００が取り付けられている。このパッドは、例えばシリコンエラストマーで形成される。ここで述べられた男性用失禁装置の連結部は回転体形状であるが、例えば楕円形状のものでも略同等の男性用失禁装置を得ることができる。そして、この開示において『円形』や『円筒状』、あるいは『環状』と言及しているのは、閉ループ状であることを意図している。しかし、本発明の好ましい形態としては、上述のように回転体形状のものである。
【００１２】
フランジ２０２およびスリーブ２０４を備える第１連結部２００（特に図１を参照）は、陰茎挿入口２０６を円形にしている。スリーブ２０４の内面には、柔軟で撓み得るシール２０８が幾分径方向に延びて形成されている。このシール２０８はプラスチック材で形成されており、好ましくはスリーブ２０４およびフランジ２０２と一体に形成されている。図１に示されるように、第１連結部２００の上端部には、その径方向外方に位置してリブ２１０が設けられており、これに隣接して溝２１４が設けられている。リブ２１０は下面２１２を有しており、その機能については後述する。上述の第１連結部２００は、好ましくは一回の型成形で作成され、ポリウレタンで作成される。これに適するポリウレタンは、ミドルセックス州ＴＷ３、４ＥＢ、ホーンスローのＢ．Ｆ．グッドリッチによって提供されている。
【００１３】
男性用失禁装置の第２連結部３００（図２参照）は、概ね円筒状の管状部３０２を備えており、この管状部３０２は、図２の下端に示すように、図１の開口２０６内に挿入可能な栓を有している。管状部３０２は、その外側端部（図２の上側）で拡張されており、環状凹部３０５を規定すべく保持フランジ３０４を提供している。図５に示すような伸縮性ラテックスまたはコンドーム相当部４００の巻き上げ端が、図２に示すように拡張端３０４の上から巻き込まれて緊縮状態で環状凹部３０５内を占め、且つ管状部３０２の外壁上に係止されている。この方法においては、従来のどのようなコンドームも第２連結部に固定して取り付けることができる。図２には、コンドーム相当部４００の開口端のビード部分が４０２の箇所に表されている。蛇口４０４（図５参照）がコンドーム相当部４００の細くされた下端部分４０６に挿入されている。この蛇口４０４は、継手部ないし接続リム４０８を有している。この継手部ないし接続リム４０８は、英国特許第２０９２６９０号の図２に示された継手のように、チューブないしスリーブ用の継手に接続可能である。弾性を有して多少の伸縮性も有する人造プラスチック材からなるリング４２０が、ビード４０２と、これに隣接するコンドーム相当部４００の短い領域の部分とを、フランジ３０４を越えさせてその外側に保持するために設けられている。この目的のためのリング４２０の好ましい構造としては、その内周面が滑らかに湾曲した凹部４２２を形成し、その凹部の形状は環状フランジ３０４の湾曲外周面３０４Ａの形状に一致する。このようにして、コンドーム相当部４００と連結部３００との間の確実な取付が達成され、しかも同時に失禁装置の組付けおよび分解を容易にする。
【００１４】
管状スリーブ３０２の長さ方向の途中には、径方向に延出するリム３０６が形成されている。このリム３０６は環状リブ３０８を伴っており、リム３０６の径方向外側の自由端はプラスチックヒンジ３１０と一体に形成されている。このプラスチックヒンジ３１０は、リブ３０６と、裏返し反転可能な環状部３１２とを連結している。上述の各部３００〜３１２は、単一の型成形品で構成されている。そのような型成形品に適切な材料の一つは、エッソ・ケミカルから市販されているＥＶＡ・ＵＬ−００２０６であるが、他の人造プラスチック材も用いることができる。裏返し反転可能な環状部３１２は、図２の断面図に見られるように、略三角形の断面形状を有しており、且つ径方向内方に延出する棚部３１４を有している。この棚部３１４は、環状部３１２が図２に示す位置にある状態において径方向内方に延出している。環状部３１２のもう一つの静止安定位置においては、環状部が図中の矢印Ｂの方向に裏返されて、棚部３１４が径方向外方へ延出するようになる。棚部３１４の目的は、図１に示す面２１２の下に係合することであり、この係合は第１連結部２００と第２連結部３００との安全且つ確実なロッキングをもたらす。この裏返し反転可能な環状部３１２を第１位置すなわちロッキング位置（このロッキング位置は図２に示されている）から、第２位置すなわちロッキング解除位置へ動かすことは、指の操作で簡単に行える。
【００１５】
図３および図４には、第２連結部３００および把手タブ３１６が示されており、環状部３１２による外周壁の径方向外側の縁３１８上に位置している。このタブ３１６は、着用者がこれを掴んで二つの連結部２００，３００を分離し始めることができ、しかも、第１連結部２００のフランジ２０２を腹壁上に安全に保持する。
【００１６】
図４は、図１〜図５に示された男性用失禁装置の第２連結部の側面図である。
【００１７】
図５に示すように、シリコンエラストマーのパッド５００が、第１連結部２００の面２０３に取り付けられており、その取付方は従来の如何なる方法によってもよい。パッド５００は、第１連結部２００の中央の開口２０６と実質的に同一の穴５０２を有しており、径方向内方に延出してプラスチックフィルムでできている薄い環状のフラップ５０４を有している。さらにこのパッド５００は、この装置が様々な大きさの男性に快適に適応するように、ある程度の公差を与えるべく径方向の切り込みまたは切除溝を有している。面２０３に取り付けられる面５０６は実質的に平坦であるが、着用者に接触する側の面５０８は、陰茎が同心上の穴５０２および２０６に挿入されたときに、その身体上で快適なように、３次元に湾曲された複合形状にされている。したがってこのパッド５００は、着用者の身体に確実且つ快適に係合し、ストラップもしくはベルトによって保持され、あるいは伸縮性のある下着内に着用される。
【００１８】
第１連結部２００および第２連結部３００が互いに連結されるとき、リブ３０８は溝２１４内に延在し、リブ２１０は、リブ３０８と裏返し反転可能な環状部３１２との間の凹部３０９内に延在する。柔軟で撓み得るシールストリップ２０８は、管状部３０２の円筒面３０３に接触して密封状態を形成する。この密封状態により、確実に且つきちんと合った第１連結部２００と第２連結部３００との間の相互係合が、液体の流出ないし漏れを実質的に防止し、あるいは少なくとも軽減する。
【００１９】
本発明の上述の実施例によれば、操作が簡単で、漏出防止され、頑丈にして有益且つ快適な男性用失禁装置が提供される。
【００２０】
図６および図７には本発明の第２実施例が示されている。この実施例は、環状リブ３０８と、このリブによって形成される図２に示された凹部、並びに図１に示された溝２１４が含まれていない点以外は、上述の第１実施例と同様である。その代わり、スリーブ２０４は環状の平坦端面２１４１を有しており、この端面は、両連結部が連結されたときに、径方向に延出したリム３０６の環状面３０８１に係合する。図６および図７に示された連結部の作用は、図１および図２に示された連結部２００，３００の作用と本質的に同じである。
【００２１】
男性用失禁装置のデザイン分野における当業者にとっては、本発明の範囲から逸脱することなく上述の実施例を変形し得ることは勿論である。
【図面の簡単な説明】
【図１】本発明に係る男性用失禁装置の実施例の第１連結部を直径上で切断して示す断面図であり、その直径上の一方だけが示されているが、他の一方は鏡像関係で同一である。
【図２】図１の第１連結部と協働するように構成された男性用失禁装置の第２連結部を示す図１と同様の断面図であり、図３のＩＩ−ＩＩ線に沿って切断されている。
【図３】第２連結部を図２および図４における矢印Ａの方向から見た正面図であり、揺動可能環状部材がロッキング位置にある状態で示されている。
【図４】図３の第２連結部の側面図である。
【図５】第１連結部および第２連結部を互いに僅かに分離した状態で示す側面図であり、一方の連結部は、着用者の身体に対して取り付けるための柔軟な弾性パッドに連結された状態で示され、そのパッドの中央の穴を通して陰茎が挿入される。
【図６】本発明の第２実施例を示す、図１と同様の断面図である。
【図７】本発明の第２実施例を示す、図２と同様の断面図である。
【符号の説明】
２００            第１連結部
２０２            フランジ
２０３            フランジの面
２０４            スリーブ
２０６            陰茎挿入口
２０８            シール
２１０            リブ
２１２            リブの下面
２１４            溝
２１４１          環状の平坦端面
３００            第２連結部
３０２            管状部
３０３            管状部の円筒面
３０４            保持フランジ
３０４Ａ          湾曲外周面
３０５            環状凹部
３０６            リム
３０８            環状リブ
３０８１          環状面
３０９            凹部
３１０            プラスチックヒンジ
３１２            裏返し反転可能な環状部
３１４            棚部
３１６            把手タブ
３１８            縁
４００            コンドーム相当部
４０２            ビード
４０４            蛇口
４０６            コンドーム相当部の下端部分
４０８            接続リム
４２０            リング
４２２            凹部
５００            パッド
５０２            穴
５０４            フラップ
５０６            面
５０８            面
【図１】
0003569552.tif 000002
【図２】
0003569552.tif 000003
【図３】
0003569552.tif 000004
【図４】
0003569552.tif 000005
【図５】
0003569552.tif 000006
【図６】
0003569552.tif 000007
【図７】
0003569552.tif 000008